(57)【要約】【課題】  メインコネクタをロックすることにより、並列した他のサブコネクタのロック機構を保持し、安全性を確保する。【解決手段】  サブコネクタ１５を相手側コネクタ１３に嵌合してロックレバー１５ａによりロックをしてから、メインコネクタ１４を相手側コネクタ１２に嵌め込み、回動レバー１６の手押部１６ａを下方に押し込むことにより、カム溝１６ｂのボス１２ａに対するカム作用によって、メインコネクタ１４を降下する。同時に、メインコネクタ１４の覆い片１４ａは、サブコネクタ１５のロックレバー１５ａの押圧部を覆って、押圧部に他部材等が衝突し、不時にロックレバー１５ａが外れることを防止する。【選択図】図４
2006324176.tif 000002
【特許請求の範囲】
【請求項１】
メインコネクタと相手側コネクタに対するロック機能を有するサブコネクタとを並列してそれぞれ相手側コネクタに嵌合する場合において、前記サブコネクタのロック部材を操作不能に覆う覆い部材を前記メインコネクタに設けたことを特徴とする電気コネクタ。
【請求項２】
前記ロック部材はロックレバーとし、前記覆い部材は該ロックレバーの押圧部を覆うようにしたことを特徴とする請求項１に記載の電気コネクタ。
【請求項３】
前記覆い部材は前記メインコネクタの側部に設けたことを特徴とする請求項１又は２に記載の電気コネクタ。
【請求項４】
前記メインコネクタに前記相手側コネクタに対する操作機構を有し、該操作機構を操作することにより、前記メインコネクタは前記相手側コネクタに引き込まれるように動作することを特徴とする請求項１又は２に記載の電気コネクタ。
【請求項５】
前記操作機構にロック機構を設け、前記操作機構のロック状態を目視により、確認できるようにしたことを特徴とする請求項４に記載の電気コネクタ。
【請求項６】
前記メインコネクタは１個とし、前記サブコネクタを１個又は複数とした請求項１に記載の電気コネクタ。
【発明の詳細な説明】
【技術分野】
【０００１】
本発明は、複数のコネクタを並列して使用し、そのうちのメインコネクタによって、全コネクタが相手側コネクタから外れないようにした電気コネクタに関するものである。
【背景技術】
【０００２】
従来から例えば図６に示すように、ユニット１側に信号用のコネクタ２、３と電源用のコネクタ４を並列して配置し、それぞれのコネクタ２、３、４に対し、電線同士を接続するための相手側コネクタ５、６、７を嵌合することが通常行われている。
【０００３】
そして、例えば自動車等における使用では、各コネクタ同士の嵌合状態を維持するためのロックを行わないと、コネクタが振動により外れてしまうことがある。そこで、各コネクタは例えばコネクタ２、３、４とに設けた爪部２ａ、３ａ、４ａによるロック機構により、それぞれ不時に外れないようにロックをする必要がある。
【発明の開示】
【発明が解決しようとする課題】
【０００４】
しかし、コネクタごとのロック機構は、図示しない解除部材に不時に他部材が衝突することにより外れてしまうことがある。
【０００５】
本発明の目的は、メインコネクタに設けた覆い部材を用いて、並列したサブコネクタのロック機構が外れないようにした電気コネクタを提供することにある。
【課題を解決するための手段】
【０００６】
上述の目的を達成するための本発明に係る電気コネクタの技術的特徴は、メインコネクタと相手側コネクタに対するロック機能を有するサブコネクタとを並列してそれぞれ相手側コネクタに嵌合する場合において、前記サブコネクタのロック部材を操作不能に覆う覆い部材を前記メインコネクタに設けたことにある。
【発明の効果】
【０００７】
本発明に係る電気コネクタによれば、メインコネクタの覆い部材により並列した他のサブコネクタのロック機構が不時に外れないようにすることができ、安全性を確保できる。
【０００８】
また、メインコネクタのロック状態を外部から目視で確認できるようにすることにより、ロックの保証が確保できる。
【発明を実施するための最良の形態】
【０００９】
本発明を図１〜図５に図示の実施例に基づいて詳細に説明する。
図１は実施例の斜視図を示し、ユニット１１側の相手側コネクタ１２、１３に対応してメインコネクタ１４とサブコネクタ１５がそれぞれ嵌合されるようになっている。合成樹脂から成るそれぞれのコネクタ１２〜１４内には、端子金具が内装されており、更にはこれらの端子金具に接続した電線が図６に示すように取り付けられているが、これらは図示を省略している。
【００１０】
相手側コネクタ１２、１３に対し、メインコネクタ１４とサブコネクタ１５はそれぞれ別個に覆い被さるようにし、コネクタ同士を嵌合すると、それぞれの端子金具同士の電気的接続がなされる。
【００１１】
メインコネクタ１４が相手側コネクタ１２と嵌合すると、メインコネクタ１４の側部から突出した覆い片１４ａがサブコネクタ１５に設けたロックレバー１５ａの押圧部１５ｂを外側から覆うようにされている。
【００１２】
図２はサブコネクタ１５と相手側コネクタ１３と嵌合前の状態の断面図であり、それぞれに収納された図示しない端子金具同士は嵌合により接続し、嵌合状態をロックするためにサブコネクタ１５にロックレバー１５ａが中央の図示しない支点により弾性的に支持されている。
【００１３】
図３に示すように、サブコネクタ１５を相手側コネクタ１３に押し込んだ嵌合状態では、端子金具が接続されると同時に、ロックレバー１５ａの先端の爪部１５ｃが相手側コネクタ１３に設けた係止部１３ａを乗り越えて係止することにより、不時にコネクタ１３、１５同士が外れることがなくなる。
【００１４】
メインコネクタ１４は手押部１６ａを有する回動レバー１６による操作機構によって嵌合が操作されるようになっている。回動レバー１６は両側のピン１４ｂによりメインコネクタ１４に対して回動可能に取り付けられ、コネクタ１２の両側に設けたボス１２ａに対するカム溝１６ｂを両面に有している。また、ユニット１１には回動レバー１６を所定位置でロックするための鉤部１１ａが設けられている。
【００１５】
サブコネクタ１５を相手側コネクタ１３に嵌合して、ロックレバー１５ａによるロックをしてから、図４に示すようにメインコネクタ１４を相手側コネクタ１２に嵌め込む。更に、図５に示すように回動レバー１６の手押部１６ａを下方に押し込むことにより、カム溝１６ｂのボス１２ａに対するカム作用によって、メインコネクタ１４を降下することができる。
【００１６】
そして、この回動レバー１６の降下が終了した位置で、手押部１６ａは鉤部１１ａにより係止されることにより、回動レバー１６は不時に持ち上がることがなくなり、メインコネクタ１４は相手側コネクタ１２に対してロックされる。
【００１７】
同時に、メインコネクタ１４の覆い片１４ａは、サブコネクタ１５のロックレバー１５ａの押圧部１５ｂを覆って、押圧部１５ｂに他部材等が衝突し、不時にロックレバー１５ａの爪部１５ｃが係止部１３ａから外れることを防止する。なお、通常ではロックレバー１５ａはサブコネクタ１５の片面にのみ設けられているので、覆い片１４ａは片側のみに設けてもよいが、本実施例では両側の覆い片１４ａによりサブコネクタ１５を挟み込むようにして、サブコネクタ１５を安定に保持している。
【００１８】
嵌合状態にあるこれらのメインコネクタ１４、サブコネクタ１５を相手側コネクタ１２、１３から外す場合には、メインコネクタ１４の回動レバー１６に対する鉤部１１ａによるロックを外してから、回動レバー１６の手押部１６ａを引き上げるように回動する。これにより、メインコネクタ１４はカム作用により上昇してコネクタ１２から外すことができ、更にサブコネクタ１５のロックレバー１５ａに対する覆い片１４ａによる覆いが除かれるので、ロックレバー１５ａの押圧部１５ｂを指で操作して、爪部１５ｃを係止部１３ａから外すことによりロックを解除すれば、サブコネクタ１５をコネクタ１３から引き抜くことができる。
【００１９】
本実施例では、回動レバー１６はメインコネクタ１４の外部から操作するようにしており、回転レバー１６の位置によりコネクタ全体のロック手段の機能の有効性を目視で確認でき、コネクタロックに対する保証機能（ＣＰＡ）を有している。
【００２０】
なお、この目視による確認は、回動レバー１６に限らず、メインコネクタ１４を外部から操作する他の操作部材を使用してもよい。
【図面の簡単な説明】
【００２１】
【図１】実施例のメインコネクタ、サブコネクタの嵌合前の斜視図である。
【図２】サブコネクタと相手側コネクタの嵌合前の断面図である。
【図３】サブコネクタと相手側コネクタの嵌合時の断面図である。
【図４】メインコネクタ、サブコネクタの嵌合過程の説明図である。
【図５】メインコネクタ、サブコネクタの嵌合時の斜視図である。
【図６】従来の複数のコネクタの嵌合前の斜視図である。
【符号の説明】
【００２２】
１１ａ  鉤部
１２、１３  相手側コネクタ
１２ａ  ボス
１４  メインコネクタ
１４ａ  覆い片
１５  サブコネクタ
１５ａ  ロックレバー
１５ｂ  押圧部
１６  回動レバー
【図１】
2006324176.tif 000003
【図２】
2006324176.tif 000004
【図３】
2006324176.tif 000005
【図４】
2006324176.tif 000006
【図５】
2006324176.tif 000007
【図６】
2006324176.tif 000008